(57)【要約】【課題】  無線伝送路上に予めＬＡＮ回線毎に固定帯域を割り当てることなく、互いに信号が混ざり合うことのない複数の独立したＬＡＮ回線を一つの無線伝送路に収容することが可能な無線伝送システムを提供する。【解決手段】  ポート情報付加回路１３８は送信順序決定回路１３６から読出しを行うポートを示すポート選択信号を取得し、そのポート選択信号２１８にしたがって受信フレームバッファ１３１，１３２のいずれか一方に対してフレーム単位でＬＡＮ信号を読出すための読出し制御信号を送出する。ポート情報付加回路１３８は読出しＬＡＮ信号に受信ポートを識別するためのポート情報と、無線区間での信号誤りを検出するための誤り検出情報とを付加し、フレーム単位で送信カプセル化ＬＡＮ信号を生成し、無線送受信回路及び無線伝送路を介して無線伝送装置へ出力する。【選択図】      図２
2006115034.tif 000002
【特許請求の範囲】
【請求項１】
複数の独立した有線伝送路を１つの無線伝送路に収容して１対１で対向局へ送出し、前記対向局で前記１つの無線伝送路に収容された複数の有線伝送路を再度複数の独立した有線伝送路に分離して出力する無線伝送装置を含む無線伝送システムであって、
前記有線伝送路からフレーム単位で受信した受信信号に対して前記フレーム毎に受信したポートを識別するためのポート情報を付加して対向局に伝送する送信手段と、前記対向局から前記１つの無線伝送路を介して受信した受信信号を当該受信信号に付加されたポート情報を基に前記フレーム単位でポートへの振り分けを行う受信手段とを前記無線伝送装置に有し、
前記受信信号各々を互いに分離して他のポートへの出力を抑止することを特徴とする無線伝送システム。
【請求項２】
前記送信手段は、前記有線伝送路から受信した受信信号に前記ポート情報を付加した後に前記フレーム毎に誤り検出信号を付加して前記対向局に伝送する手段を含み、
前記受信手段は、前記対向局からの受信信号に付加された誤り検出信号を基に誤り検出を実施した後に前記ポートの振り分けを行う手段を含むことを特徴とする請求項１記載の無線伝送システム。
【請求項３】
前記複数の有線伝送路各々に対してそのデータ量に応じて帯域を動的に分配することを特徴とする請求項１または請求項２記載の無線伝送システム。
【請求項４】
前記ポート毎に受信フレームバッファを備え、全てのポートのバッファ書込み完了時の順序を保持して書込み完了順に前記無線伝送路に優先的に送出することを特徴とする請求項１から請求項３のいずれか記載の無線伝送システム。
【請求項５】
前記受信フレームバッファに蓄積された総データ量と、予め定められた一定時間当たりに前記無線伝送路が送出可能な総データ量とからトラフィック輻輳状態を判定することを特徴とする請求項４記載の無線伝送システム。
【請求項６】
前記ポート毎に予め定められた一定時間に前記無線伝送路へ送出可能なデータ量に上限を定めることで帯域制限を行うことを特徴とする請求項１から請求項５のいずれか記載の無線伝送システム。
【請求項７】
前記ポート毎に予め定められた一定時間に前記無線伝送路へ送出可能なデータ量に上限を定めることで帯域制限を行い、フレーム送信中に送出可能なデータ量の上限に達した場合に送信中のフレームを最後まで送出し続けるとともに、送出可能なデータ量を超えて送出した分のデータ量を計数し、次の一定時間に送出可能なデータ量の上限から差し引くことで統計的に一定の帯域を保つことを特徴とする請求項１から請求項６のいずれか記載の無線伝送システム。
【請求項８】
前記複数の有線伝送路から受信した受信信号の総データ量が無線伝送容量を超えた場合のみ、各有線伝送路が前記無線伝送路に送出可能なデータ量に制限を行うことを特徴とする請求項１から請求項７のいずれか記載の無線伝送システム。
【請求項９】
前記有線伝送路は、ＬＡＮ（Ｌｏｃａｌ  Ａｒｅａ  Ｎｅｔｗｏｒｋ）回線であることを特徴とする請求項１から請求項８のいずれか記載の無線伝送システム。
【請求項１０】
複数の独立した有線伝送路を１つの無線伝送路に収容して１対１で対向局へ送出し、前記対向局で前記１つの無線伝送路に収容された複数の有線伝送路を再度複数の独立した有線伝送路に分離して出力する無線伝送装置であって、
前記有線伝送路からフレーム単位で受信した受信信号に対して前記フレーム毎に受信したポートを識別するためのポート情報を付加して対向局に伝送する送信手段と、前記対向局から前記１つの無線伝送路を介して受信した受信信号を当該受信信号に付加されたポート情報を基に前記フレーム単位でポートへの振り分けを行う受信手段とを有し、
前記受信信号各々を互いに分離して他のポートへの出力を抑止することを特徴とする無線伝送装置。
【請求項１１】
前記送信手段は、前記有線伝送路から受信した受信信号に前記ポート情報を付加した後に前記フレーム毎に誤り検出信号を付加して前記対向局に伝送する手段を含み、
前記受信手段は、前記対向局からの受信信号に付加された誤り検出信号を基に誤り検出を実施した後に前記ポートの振り分けを行う手段を含むことを特徴とする請求項１０記載の無線伝送装置。
【請求項１２】
前記複数の有線伝送路各々に対してそのデータ量に応じて帯域を動的に分配することを特徴とする請求項１０または請求項１１記載の無線伝送装置。
【請求項１３】
前記ポート毎に受信フレームバッファを備え、全てのポートのバッファ書込み完了時の順序を保持して書込み完了順に前記無線伝送路に優先的に送出することを特徴とする請求項１０から請求項１２のいずれか記載の無線伝送装置。
【請求項１４】
前記受信フレームバッファに蓄積された総データ量と、予め定められた一定時間当たりに前記無線伝送路が送出可能な総データ量とからトラフィック輻輳状態を判定することを特徴とする請求項１３記載の無線伝送装置。
【請求項１５】
前記ポート毎に予め定められた一定時間に前記無線伝送路へ送出可能なデータ量に上限を定めることで帯域制限を行うことを特徴とする請求項１０から請求項１４のいずれか記載の無線伝送装置。
【請求項１６】
前記ポート毎に予め定められた一定時間に前記無線伝送路へ送出可能なデータ量に上限を定めることで帯域制限を行い、フレーム送信中に送出可能なデータ量の上限に達した場合に送信中のフレームを最後まで送出し続けるとともに、送出可能なデータ量を超えて送出した分のデータ量を計数し、次の一定時間に送出可能なデータ量の上限から差し引くことで統計的に一定の帯域を保つことを特徴とする請求項１０から請求項１５のいずれか記載の無線伝送装置。
【請求項１７】
前記複数の有線伝送路から受信した受信信号の総データ量が無線伝送容量を超えた場合のみ、各有線伝送路が前記無線伝送路に送出可能なデータ量に制限を行うことを特徴とする請求項１０から請求項１６のいずれか記載の無線伝送装置。
【請求項１８】
前記有線伝送路は、ＬＡＮ（Ｌｏｃａｌ  Ａｒｅａ  Ｎｅｔｗｏｒｋ）回線であることを特徴とする請求項１０から請求項１７のいずれか記載の無線伝送装置。
【請求項１９】
複数の独立した有線伝送路を１つの無線伝送路に収容して１対１で対向局へ送出し、前記対向局で前記１つの無線伝送路に収容された複数の有線伝送路を再度複数の独立した有線伝送路に分離して出力する無線伝送装置を含む無線伝送システムに用いられる無線伝送方法であって、前記無線伝送装置側に、前記有線伝送路からフレーム単位で受信した受信信号に対して前記フレーム毎に受信したポートを識別するためのポート情報を付加して対向局に伝送する第１の処理と、前記対向局から前記１つの無線伝送路を介して受信した受信信号を当該受信信号に付加されたポート情報を基に前記フレーム単位でポートへの振り分けを行う第２の処理とを有し、前記受信信号各々を互いに分離して他のポートへの出力を抑止することを特徴とする無線伝送方法。
【請求項２０】
前記第１の処理は、前記有線伝送路から受信した受信信号に前記ポート情報を付加した後に前記フレーム毎に誤り検出信号を付加して前記対向局に伝送する処理を含み、
前記第２の処理は、前記対向局からの受信信号に付加された誤り検出信号を基に誤り検出を実施した後に前記ポートの振り分けを行う処理を含むことを特徴とする請求項１９記載の無線伝送方法。
【請求項２１】
前記複数の有線伝送路各々に対してそのデータ量に応じて帯域を動的に分配することを特徴とする請求項１９または請求項２０記載の無線伝送方法。
【請求項２２】
前記ポート毎に受信フレームバッファを備え、全てのポートのバッファ書込み完了時の順序を保持して書込み完了順に前記無線伝送路に優先的に送出することを特徴とする請求項１９から請求項２１のいずれか記載の無線伝送方法。
【請求項２３】
前記受信フレームバッファに蓄積された総データ量と、予め定められた一定時間当たりに前記無線伝送路が送出可能な総データ量とからトラフィック輻輳状態を判定することを特徴とする請求項２２記載の無線伝送方法。
【請求項２４】
前記ポート毎に予め定められた一定時間に前記無線伝送路へ送出可能なデータ量に上限を定めることで帯域制限を行うことを特徴とする請求項１９から請求項２３のいずれか記載の無線伝送方法。
【請求項２５】
前記ポート毎に予め定められた一定時間に前記無線伝送路へ送出可能なデータ量に上限を定めることで帯域制限を行い、フレーム送信中に送出可能なデータ量の上限に達した場合に送信中のフレームを最後まで送出し続けるとともに、送出可能なデータ量を超えて送出した分のデータ量を計数し、次の一定時間に送出可能なデータ量の上限から差し引くことで統計的に一定の帯域を保つことを特徴とする請求項１９から請求項２４のいずれか記載の無線伝送方法。
【請求項２６】
前記複数の有線伝送路から受信した受信信号の総データ量が無線伝送容量を超えた場合のみ、各有線伝送路が前記無線伝送路に送出可能なデータ量に制限を行うことを特徴とする請求項１９から請求項２５のいずれか記載の無線伝送方法。
【請求項２７】
前記有線伝送路が、ＬＡＮ（Ｌｏｃａｌ  Ａｒｅａ  Ｎｅｔｗｏｒｋ）回線であることを特徴とする請求項１９から請求項２６のいずれか記載の無線伝送方法。
【発明の詳細な説明】
【技術分野】
【０００１】
本発明は無線伝送システム、無線伝送装置及びそれに用いる無線伝送方法に関し、特に複数の独立したＬＡＮ（Ｌｏｃａｌ  Ａｒｅａ  Ｎｅｔｗｏｒｋ）回線を１つの無線伝送路に収容して１対１で対向局へ送出し、対向局で再度複数の独立したＬＡＮ回線に分離して出力する無線伝送装置に関する。
【背景技術】
【０００２】
近年、オフィスや学校、自治体等においては、ＬＡＮ網を構築することによるネットワーク化が急速に進んでおり、ネットワークの高速化、大容量化が進んでいる。それに伴い、従来、限られた範囲内で構築されることの多かったネットワークを、近傍のビル間や遠隔地点間で専用ＬＡＮ回線を用いて相互に接続する要求が高まっている。
【０００３】
物理的に離れた２地点間で専用ＬＡＮ回線を構築する方法としては、光ファイバを主とする有線伝送路を施設する方法や、無線伝送路を介して１対１で信号伝送を行う無線伝送装置を用いる方法等がある。無線伝送装置を用いることで２地点間の地理的な制約を比較的受けずに、容易にネットワークを構築することが可能となる。一方、無線伝送装置を用いると、有線伝送路と比較して最大伝送容量が少ない場合が多く、限られた伝送容量を効率良く利用することが望まれている。
【０００４】
専用ＬＡＮ回線は、ネットワークの用途や構成機器によって扱うＬＡＮ信号のフレームフォーマットやプロトコルがさまざまであり、ＬＡＮ回線毎に一定の帯域保証を求められる場合が多い。また、複数のＬＡＮ回線を一つの伝送路に収容する場合には、セキュリティの観点から各ＬＡＮ回線の独立性を保つことが求められる。
【０００５】
このような要求を満たすため、予めＬＡＮ回線毎に固定帯域を確保することで、回線の独立性と一定の帯域保証を行う方法が一般的であるが、ＬＡＮ信号はバースト的に発生するフレーム単位のデータ信号を扱うため、予め各回線毎に固定帯域を割り当てる方法では、各ＬＡＮ回線で発生した余剰帯域分を他のＬＡＮ回線で使用することができず、帯域を効率的に利用できないという問題がある。
【０００６】
また、ＬＡＮ回線毎に帯域制限を行う方法としては、受信したＬＡＮ信号に含まれる識別情報［ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）  ８０２．３で標準化されたＭＡＣ（Ｍｅｄｉａ  Ａｃｃｅｓｓ  Ｃｏｎｔｒｏｌ）アドレス］に基づいて、受信したＬＡＮ信号に対して予めＭＡＣアドレス毎に対応付けたＩＥＥＥ  ８０２．３で標準化されたＶＬＡＮ（Ｖｉｒｔｕａｌ  Ｌｏｃａｌ  Ａｒｅａ  Ｎｅｔｗｏｒｋ）タグを付加し、ＶＬＡＮタグ情報に基づいて通過するＬＡＮ信号の帯域制限を実施する方法が提案されている（例えば、特許文献１参照）。
【０００７】
【特許文献１】特開２００３−２５８８３０
【発明の開示】
【発明が解決しようとする課題】
【０００８】
しかしながら、上記の特許文献１に記載の方法では、予め各ＬＡＮ回線に接続する機器のＭＡＣアドレスと、付加するＶＬＡＮタグとを関連付ける必要があり、接続する機器を変更する毎に設定を変更する必要がある等、保守・運用面において制約がある。
【０００９】
また、上記の方法では、受信したＬＡＮ信号のデータからＭＡＣアドレスを解析する回路と、受信したＭＡＣアドレスとＶＬＡＮタグとを関連付けするための回路とが必要となり、回路構成が煩雑となってしまう。
【００１０】
さらに、上記の方法では、受信したＬＡＮ回線に基づき、ＬＡＮ回線を識別するＶＬＡＮタグを付加する方法も考えられるが、受信したＬＡＮ信号にＶＬＡＮタグを付加する方法では、受信したＬＡＮ信号のフレームフォーマットがＩＥＥＥ  ８０２．３に準拠していることが必要となり、独自のプロトコルによって処理を行うようなネットワーク機器を介したＬＡＮ信号には適用することができないという問題がある。
【００１１】
一般的なＬＡＮ回線では、回線使用率が常に高い状態に保たれて運用されることは少ない。複数の独立したＬＡＮ回線を１つの無線伝送路に収容する無線伝送装置では、無線伝送路上にＬＡＮ回線毎の固定帯域を予め確保することで、ＬＡＮ回線毎にある一定の伝送容量を常に保つことが可能であるが、回線使用率の低いＬＡＮ回線の余剰帯域分を他のＬＡＮ回線で使用することができないため、特定のＬＡＮ回線で一時的に固定帯域を上回るＬＡＮ信号を受信した場合に、許容伝送容量を超えたＬＡＮ信号の欠落や伝送遅延時間の増加を招く一因となっている。
【００１２】
そこで、本発明の目的は上記の問題点を解消し、無線伝送路上に予めＬＡＮ回線毎に固定帯域を割り当てることなく、互いに信号が混ざり合うことのない複数の独立したＬＡＮ回線を一つの無線伝送路に収容することができる無線伝送システム、無線伝送装置及びそれに用いる無線伝送方法を提供することにある。
【課題を解決するための手段】
【００１３】
本発明による無線伝送システムは、複数の独立した有線伝送路を１つの無線伝送路に収容して１対１で対向局へ送出し、前記対向局で前記１つの無線伝送路に収容された複数の有線伝送路を再度複数の独立した有線伝送路に分離して出力する無線伝送装置を含む無線伝送システムであって、
前記有線伝送路からフレーム単位で受信した受信信号に対して前記フレーム毎に受信したポートを識別するためのポート情報を付加して対向局に伝送する送信手段と、前記対向局から前記１つの無線伝送路を介して受信した受信信号を当該受信信号に付加されたポート情報を基に前記フレーム単位でポートへの振り分けを行う受信手段とを前記無線伝送装置に備え、
前記受信信号各々を互いに分離して他のポートへの出力を抑止している。
【００１４】
本発明による無線伝送装置は、複数の独立した有線伝送路を１つの無線伝送路に収容して１対１で対向局へ送出し、前記対向局で前記１つの無線伝送路に収容された複数の有線伝送路を再度複数の独立した有線伝送路に分離して出力する無線伝送装置であって、
前記有線伝送路からフレーム単位で受信した受信信号に対して前記フレーム毎に受信したポートを識別するためのポート情報を付加して対向局に伝送する送信手段と、前記対向局から前記１つの無線伝送路を介して受信した受信信号を当該受信信号に付加されたポート情報を基に前記フレーム単位でポートへの振り分けを行う受信手段とを備え、
前記受信信号各々を互いに分離して他のポートへの出力を抑止している。
【００１５】
本発明による無線伝送方法は、複数の独立した有線伝送路を１つの無線伝送路に収容して１対１で対向局へ送出し、前記対向局で前記１つの無線伝送路に収容された複数の有線伝送路を再度複数の独立した有線伝送路に分離して出力する無線伝送装置を含む無線伝送システムに用いられる無線伝送方法であって、前記無線伝送装置側に、前記有線伝送路からフレーム単位で受信した受信信号に対して前記フレーム毎に受信したポートを識別するためのポート情報を付加して対向局に伝送する第１の処理と、前記対向局から前記１つの無線伝送路を介して受信した受信信号を当該受信信号に付加されたポート情報を基に前記フレーム単位でポートへの振り分けを行う第２の処理とを備え、前記受信信号各々を互いに分離して他のポートへの出力を抑止している。
【００１６】
すなわち、本発明の無線伝送装置は、Ｎ（Ｎは２以上の整数）本の有線伝送路からＬＡＮ（Ｌｏｃａｌ  Ａｒｅａ  Ｎｅｔｗｏｒｋ）信号を受信するためのポートを備え、各ポートから受信したＬＡＮ信号を１つの無線伝送路を介して１対１で対向局へ送出し、対向局で再度Ｎ本の有線伝送路へ分離出力する無線伝送装置に関する。
【００１７】
本発明の無線伝送装置では、各ポートを介してフレーム単位で受信したＬＡＮ信号に受信ポートを識別するためのポート情報を付加し、当該ＬＡＮ信号を各ポートが共用する１つの無線伝送路を用いてフレーム単位で時分割に多重して対向局へ送出する機能と、対向局から受信した信号から対向局で付加されたポート情報を解析し、ポート情報に基づいてＬＡＮ信号を各ポートに分岐して出力する機能とを備えている。
【００１８】
その際、本発明の無線伝送装置では、各ポートからフレーム単位で受信したＬＡＮ信号の先頭と末尾とを検出する機能を備え、受信したＬＡＮ信号のフレームフォーマットやプロトコルの解析を実施せずに、無線伝送路を介して伝送するために必要な情報を、新たにＬＡＮ信号に付加して対向局へ送出している。
【００１９】
さらに、本発明の無線伝送装置では、トラフィックが輻輳した場合に備えて予め各ポートが一定時間当たりに占有可能な無線帯域の上限を定めておき、各ポートから受信したＬＡＮ信号の総データ量が無線伝送容量を超える場合に、各ポートに対して自動的に帯域制限を行う機能を備えている。
【００２０】
これによって、本発明の無線伝送装置では、複数の独立したＬＡＮ回線を１つの無線伝送路に収容する無線伝送装置において、予めＬＡＮ回線毎に独立した信号帯域を無線伝送路上に確保することなく、各々のＬＡＮ回線の独立性を保つことが可能となる。
【００２１】
また、本発明の無線伝送装置では、各ＬＡＮ回線のフレームフォーマットやプロトコルに依存せずに、複数のＬＡＮ回線を１つの無線伝送路に収容することが可能となる。
【００２２】
さらに、本発明の無線伝送装置では、各ＬＡＮ回線のデータ量に応じて動的に信号帯域を分配することが可能なほか、トラフィック輻輳時に各ＬＡＮ回線に最低限の帯域保証を行うことが可能となる。
【００２３】
よって、本発明の無線伝送装置では、受信したポートを識別するための情報と無線区間での信号誤りを検出するための誤り検出信号とを、無線伝送路へ送出するＬＡＮ信号にフレーム単位で付加する回路を送信側に設け、無線区間での信号誤りを検出する回路と、信号誤りのない受信信号から送信局で付加したポートの情報を抽出してＬＡＮ信号をポート毎に振り分ける回路とを受信側に設けることによって、対向する定められたポート間のみで、信号の送受信が可能な複数の独立したＬＡＮ回線を一つの無線伝送路に収容することが可能となる。
【００２４】
また、本発明の無線伝送装置では、有線伝送路からフレーム単位で受信したＬＡＮ信号をポート毎に一時的に蓄積する回路と、すべてのポートで受信したＬＡＮ信号の受信完了順序を把握し、受信完了順序にしたがってＬＡＮ信号を優先的に無線伝送路に送出する回路とを備えることで、時々刻々と変化する各ポートのデータ量に応じて、無線伝送路の信号帯域を柔軟に割り当てることが可能となる。
【００２５】
さらに、本発明の無線伝送装置では、予め定められた一定時間毎に受信フレームバッファから読出すデータ量を積算する回路と、一定時間中に各ポートから同時に受信したＬＡＮ信号の総データ量が無線伝送容量を越えたことを検出する回路と、無線伝送路に送出するデータ量を統計的に一定量に制御する回路とを備え、一定時間中に各ポートから同時に受信したＬＡＮ信号の総データ量が無線伝送容量を超えた場合にのみ、ポート単位で無線伝送路へ送出可能なデータ量に制限を設けることで、トラフィックが輻輳したことを検出して自動的に各ポートに帯域制限を行うとともに、最低限の帯域保証を行うことが可能となる。
【発明の効果】
【００２６】
本発明は、以下に述べるような構成及び動作とすることで、無線伝送路上に予めＬＡＮ回線毎に固定帯域を割り当てることなく、互いに信号が混ざり合うことのない複数の独立したＬＡＮ回線を一つの無線伝送路に収容することができるという効果が得られる。
【発明を実施するための最良の形態】
【００２７】
次に、本発明の実施例について図面を参照して説明する。図１は本発明の一実施例による無線伝送システムの構成を示すブロック図である。図１において、本発明の一実施例による無線伝送システムは２つの有線伝送路１０１ａ，１０２ａ，１０１ｂ，１０２ｂから受信したＬＡＮ（Ｌｏｃａｌ  Ａｒｅａ  Ｎｅｔｗｏｒｋ）信号を１つの無線伝送路４００を介して１対１で対向局に送出し、対向局で再度２つの有線伝送路１０１ｂ，１０２ｂ，１０１ａ，１０２ａへ分離した後に出力する無線伝送装置１ａ，１ｂが無線伝送路４００を介して対向するように配置して構成されている。
【００２８】
無線伝送装置１ａと無線伝送装置１ｂとは同じ構成となっており、それぞれＬＡＮポート１１ａ，１２ａ，１１ｂ，１２ｂと、無線送信側回路１３ａ，１３ｂと、無線受信側回路１４ａ，１４ｂと、無線送受信回路１５ａ，１５ｂと、アンテナ１６ａ，１６ｂとから構成されている。
【００２９】
上記の構成において、無線伝送装置１ａの無線送信側回路１３ａと無線伝送装置１ｂの無線送信側回路１３ｂとは同一の構成をとり、無線伝送装置１ｂの無線受信側回路１４ｂと無線伝送装置１ａの無線受信側回路１４ａとは同一の構成をとっている。
【００３０】
図２は図１の無線送信側回路１３ａ，１３ｂの構成例を示すブロック図である。図２においては、無線送信側回路１３ａ，１３ｂを無線送信側回路１３として図示しており、無線送信側回路１３ａ，１３ｂの構成はこの無線送信側回路１３と同様である。
【００３１】
すなわち、無線送信側回路１３は受信フレームバッファ１３１，１３２と、基準時間カウンタ１３３と、帯域制御回路１３４，１３５と、送信順序決定回路１３６と、輻輳判定回路１３７と、ポート情報付加回路１３８とから構成されている。
【００３２】
図３は図１の無線受信側回路１４ａ，１４ｂの構成例を示すブロック図である。図３においては、無線受信側回路１４ａ，１４ｂを無線受信側回路１４として図示しており、無線受信側回路１４ａ，１４ｂの構成はこの無線受信側回路１４と同様である。すなわち、無線受信側回路１４は送信フレームバッファ１４１，１４２と、ポート情報解析回路１４３とから構成されている。
【００３３】
これら図１〜図３を参照して本発明の一実施例による無線伝送システムの動作について説明する。受信フレームバッファ１３１，１３２は有線伝送路２１１，２１２からＬＡＮポート１１ａ，１２ａ，１１ｂ，１２ｂを介してフレーム単位で受信した受信ＬＡＮ信号２１１，２１２を受信した順序を保って一時的に格納する。同時に、受信フレームバッファ１３１，１３２はバッファ内に格納されているＬＡＮ信号の総データ量を示すバッファ容量モニタ信号２２３，２２４を後述する輻輳判定回路１３７へ通知する。
【００３４】
また、受信フレームバッファ１３１，１３２は後述する読出し制御信号２１９，２２０を検出すると、格納したＬＡＮ信号を受信した順序にしたがってフレーム単位で後述するポート情報付加回路１３８へ出力する。
【００３５】
ポート情報付加回路１３８は後述する送信順序決定回路１３６に選択要求信号２１８を出力して読出しを行うポートを示すポート選択信号２１８を取得する。また、ポート情報付加回路１３８はポート選択信号２１８にしたがって受信フレームバッファ１３１，１３２のいずれか一方に対してフレーム単位でＬＡＮ信号を読出すための読出し制御信号２１９，２２０を送出し、受信フレームバッファ１３１，１３２から読出しＬＡＮ信号２２１，２２２を受信してフレームの先頭と末尾とを検出する。
【００３６】
さらに、ポート情報付加回路１３８は読出しＬＡＮ信号２２１，２２２に受信ポートを識別するためのポート情報と、無線区間での信号誤りを検出するための誤り検出情報とを付加し、フレーム単位で送信カプセル化ＬＡＮ信号２１３を生成し、無線送受信回路１５ａ及び無線伝送路４００を介して無線伝送装置１ｂへ出力する。フレーム単位で送信カプセル化ＬＡＮ信号２１３の送出が完了すると、再び送信順序決定回路３１６に選択要求信号２１７を出力する。
【００３７】
無線伝送装置１ｂのポート情報解析回路１４３は無線伝送路４００及び無線送受信回路１５ｂを介して無線伝送装置１ａから受信カプセル化ＬＡＮ信号２１３をフレーム単位で受信して誤り検出を行い、信号誤りを検出した場合にはフレーム単位で破棄を行う。
【００３８】
ポート情報解析回路１４３は受信したデータ信号列に誤りがない場合に、無線伝送装置１ａのポート情報付加回路１３８で付加されたポート情報を抽出するとともに、ポート情報及び誤り検出情報を削除し、抽出したポート情報にしたがって送出するポートを決定し、送信フレームバッファ１４１，１４２へフレーム単位で送信バッファ書込み信号４１４，４１５を出力する。
【００３９】
送信フレームバッファ１４１，１４２は受信した送信バッファ書込み信号４１４，４１５を一時的に格納した後、受信した順序にしたがってＬＡＮポート１１ｂ，１２ｂを介して有線伝送路１０１ｂ，１０２ｂへ送信ＬＡＮ信号３１１ｂ，３１２ｂを出力する。
【００４０】
輻輳判定回路１３７は受信フレームバッファ１３１，１３２から受信したバッファ容量モニタ信号２２３，２２４を監視し、２つの受信フレームバッファ１３１，１３２のいずれにもデータが格納されており、かつ格納されたデータ量の総和が予め定められた閾値を越えた場合にはトラフィックの輻輳が発生したものと判定し、トラフィック輻輳信号２２５を生成して帯域制御回路１３４，１３５へ出力する。尚、閾値は予め定められた一定時間の間に無線伝送路４００で伝送可能な最大容量を基に定める。
【００４１】
基準時間カウンタ１３３は予め定められた一定の時間毎に基準時間信号２１４を生成し、後述する帯域制御回路１３４，１３５へ出力する。帯域制御回路１３４，１３５は基準時間信号２１４と、読出しデータ信号２２１，２２２と、トラフィック輻輳信号２２５とを監視し、トラフィック輻輳時に受信フレームバッファ１３１，１３２からのデータ読出し量に制限を行うための帯域制限信号２１５，２１６を生成するものである。
【００４２】
図４は図２の帯域制御回路１３４の構成例を示すブロック図である。図４において、帯域制御回路１３４はオーバフローカウンタ１３４１と、積算カウンタ１３４２と、帯域制限回路１３４３とから構成されている。尚、帯域制御回路１３５は上記の帯域制御回路１３４と同様の構成となっている。
【００４３】
積算カウンタ１３４２は図２の受信フレームバッファ１３１から出力された読出しデータ信号２２１を監視し、無線伝送路４００に送出されるデータ量の積算を行うカウンタであり、積算結果を積算カウンタ値５０２として帯域制限回路１３４３へ常に出力する。また、積算カウンタ１３４２は基準時間信号２１４を受信した場合、後述するオーバフローカウンタ１３４１からオーバフローカウンタ値５０１を取得し、カウンタをオーバフローカウンタ値５０１と等しい値に設定する。
【００４４】
帯域制限回路１３４３は積算カウンタ値５０２と図２の輻輳判定回路１３７から受信したトラフィック輻輳信号２２５とを監視し、トラフィック輻輳信号２２５を受信中に積算カウンタ値５０２が予め定められた閾値を超えた場合、帯域制限信号２１５を生成してオーバフローカウンタ１３４１及び図２の送信順序決定回路１３６へ出力する。
【００４５】
オーバフローカウンタ１３４１は帯域制限信号２１４を監視し、帯域制限信号２１４を受信中にのみ読出しデータ信号２２１を監視し、帯域制限を実施している間に無線伝送路４００に送出されるデータ量の積算を行う。基準時間信号２１４を検出する毎に積算結果をオーバフローカウンタ値５０１として積算カウンタ１３４２へ出力するとともに、カウンタ値を初期化する。
【００４６】
図２の送信順序決定回路１３６は受信ＬＡＮ信号２１１，２１２を監視し、受信したＬＡＮ信号の受信完了順序を記憶するとともに、記憶した受信完了順序とバッファ容量モニタ信号２２３，２２４と帯域制限信号２１５，２１６とから、無線伝送路４００に送出するＬＡＮ信号を読出すポートの判定を行い、ポート選択信号２１８を出力する。
【００４７】
図５は図２の送信順序決定回路１３６の構成例を示すブロック図である。図５において、送信順序決定回路１３６は受信完了検出回路１３６１，１３６２と、順序生成回路１３６３と、受信順序保持メモリ１３６４，１３６５と、読出しポート判定回路１３６６とから構成されている。
【００４８】
受信完了検出回路１３６１，１３６２はフレーム単位で受信した受信ＬＡＮ信号２１１，２１２を監視し、フレームの末尾を検出することで受信完了を判定し、受信完了信号５１１，５１２を生成して順序生成回路１３６３へ出力する。
【００４９】
順序生成回路１３６３は受信完了信号５１１，５１２を検出する度に受信した順序を識別するための順序情報５１３，５１４を生成し、受信順序保持メモリ１３６４，１３６５へ出力する。
【００５０】
受信順序保持メモリ１３６４，１３６５は順序生成回路１３６３が生成した順序情報５１３，５１４をポート毎に保持するメモリであり、順序情報５１３，５１４を受信順序を保って記憶し、最も先に記憶した順序情報から順番に比較情報５１５，５１６として後述する読出しポート判定回路１３６６へ出力する。
【００５１】
読出しポート判定回路１３６６は選択要求信号２１７を検出する度に、バッファ容量モニタ信号２２３，２２４と帯域制限信号２１５，２１６と比較情報５１５，５１６とから無線伝送路４００に送出するＬＡＮ信号を読出す受信フレームバッファ１３１，１３２のいずれかを選択し、ポート選択信号２１８として出力する。
【００５２】
図６は図５の読出しポート判定回路１３６６の判定動作を示すフローチャートである。これら図１〜図６を参照して本発明の一実施例による無線伝送システムの動作について説明する。まず、有線伝送路１０２ａから受信しているＬＡＮ信号がなく、有線伝送路１０１ａのみからＬＡＮ信号を受信した場合の一連の動作について説明する。
【００５３】
受信フレームバッファ１３１は有線伝送路１０１ａからＬＡＮポート１１ａを介して受信したＬＡＮ信号を受信した順序で格納し、格納したＬＡＮ信号のデータ量に基づきバッファ容量モニタ信号２２３を生成して輻輳判定回路１３７及び送信順序決定回路１３６に出力する。有線伝送路１０２ａからはＬＡＮ信号を受信していないため、受信フレームバッファ１３２は格納されたデータがないことを示すバッファ容量モニタ信号２２４を生成して輻輳判定回路１３７及び送信順序決定回路１３６に出力する。
【００５４】
輻輳判定回路１３７はバッファ容量モニタ信号２２３，２２４を監視し、受信フレームバッファ１３２に格納されたデータが存在しないことからトラフィックの輻輳が発生していないと判定し、トラフィック輻輳信号２２５を出力しない。
【００５５】
帯域制御回路１３４を構成する帯域制限回路１３４３はトラフィック輻輳信号２２５を受信していないため、帯域制限信号２１５を出力しない。送信順序決定回路１３６を構成する読出しポート判定回路１３６６はバッファ容量モニタ信号２２３，２２４と帯域制限信号２１５とを受信し、ＬＡＮ信号を読出す受信フレームバッファ１３１，１３２のいずれかを選択し、ポート選択信号２１８として出力する。
【００５６】
ここで、読出しポート判定回路１３６６がポート選択信号２１８を生成する過程について説明する。読出しポート判定回路１３６６がポート選択信号２１８を生成する過程は、図６に示すように、検出手順（ステップＳ１）、判定手順（ステップＳ２〜Ｓ６，Ｓ９，Ｓ１０）、判定結果（ステップＳ７，Ｓ８）から構成されている。
【００５７】
判定手順（ステップＳ２，Ｓ４，Ｓ９）は受信フレームバッファ１３１，１３２に格納されたデータの有無を判定する過程であり、バッファ容量モニタ信号２２３，２２４を監視することで判定を実施する。判定手順（ステップＳ３，Ｓ５，Ｓ１０）はトラフィック輻輳時に受信フレームバッファ１３１，１３２からのデータ読出しが制限されているか否かを判定する過程であり、帯域制限信号２１５，２１６を監視することで判定を実施する。
【００５８】
判定手順（ステップＳ６）は２つの受信フレームバッファ１３１，１３２双方に格納されたデータが存在する場合に、先に受信が完了しているＬＡＮ信号から優先して読出しを行うための判定手順であり、比較情報５１５，５１６を比較して先に採番された値を示すポートを基に判定を実施する。
【００５９】
読出しポート判定回路１３６６は選択要求信号２１７を検出する度に検出手順（ステップＳ１）から判定を開始し、判定手順（ステップＳ２〜Ｓ６，Ｓ９，Ｓ１０）によって読出しを行う受信フレームバッファ１３１，１３２のいずれかを選択する旨の判定結果（ステップＳ７，Ｓ８）が決定され、判定結果に基づいてポート選択信号２１８を生成してポート情報付加回路１３８へ出力する。
【００６０】
この場合、読出しポート判定回路１３６６は図６に示す判定手順（ステップＳ２，Ｓ４）においてバッファ容量モニタ信号２２３，２２４を基に受信フレームバッファ１３１のみにＬＡＮ信号が格納されていることを判定し、判定手順（ステップＳ３）において帯域制限信号２１５を受信していないことを判定する。検出手順（ステップＳ１）において後述する選択要求信号２１７を検出すると、検出手順（ステップＳ１）及び判定手順（ステップＳ２〜Ｓ４）を経て判定結果（ステップＳ８）に至り、受信フレームバッファ１３１からデータを読出す旨のポート選択信号２１８を生成してポート情報付加回路１３８へ出力する。
【００６１】
ポート情報付加回路１３８は送信順序決定回路１３６に選択要求信号２１７を出力し、受信フレームバッファ１３１からＬＡＮ信号を読出す旨を示したポート選択信号２１８を取得すると、受信フレームバッファ１３１に読出し制御信号１２１９を送出し、受信フレームバッファ１３１からフレーム単位で読出しＬＡＮ信号２２１を受信する。
【００６２】
さらに、ポート情報付加回路１３８は読出しＬＡＮ信号２２１に対して、受信したＬＡＮポート１１ａを対向局で識別するためのポート情報と、フレーム毎に無線区間での信号誤りを検出するための誤り検出情報とを付加して送信カプセル化ＬＡＮ信号２１３を生成し、無線送受信回路１５ａ、無線伝送路４００を介して対向する無線伝送装置１ｂへ送出する。
【００６３】
無線伝送装置１ｂのポート情報解析回路１４３は無線伝送路４００から無線送受信回路１５ｂを介して受信カプセル化ＬＡＮ信号３１３ｂを受信し、ポート情報付加回路１３８で付加された誤り検出情報に基づきフレーム単位で無線伝送路４００における信号誤り判定を行う。
【００６４】
ポート情報解析回路１４３は無線伝送路４００で信号誤りがないことを確認すると、ポート情報付加回路１３８で付加されたポート情報を抽出してＬＡＮポート１２ｂを介して出力すべきＬＡＮ信号であると判定するとともに、受信カプセル化ＬＡＮ信号３１３ｂからポート情報付加回路１３８で付加されたポート情報と誤り検出情報とを削除し、送信バッファ書込み信号３１４を生成し、送信フレームバッファ１４１及びＬＡＮポート１１ｂを介して有線伝送路１０１ｂへ出力する。
【００６５】
尚、無線伝送装置１ａから無線伝送装置１ｂへ向かう無線伝送路４００において信号誤りが発生した場合には、ポート情報解析回路１４３が受信カプセル化ＬＡＮ信号３１３の信号誤りを検出し、フレーム単位で破棄を行う。
【００６６】
上述した処理によって、有線伝送路１０１ａのみからＬＡＮ信号を受信している場合には、有線伝送路１０１が無線伝送路４００の信号帯域を必要に応じて占有することができ、また有線伝送路１０１から受信したＬＡＮ信号は対向局の有線伝送路１０１ｂのみに出力される。また、無線伝送路４００において信号誤りが発生した場合にはフレーム単位でＬＡＮ信号の破棄を行うため、有線伝送路１０１ａから受信したＬＡＮ信号が対向局の有線伝送路１０２ｂに誤って出力されることはない。
【００６７】
次に、図１において、有線伝送路１０１ａ，１０２ａから継続してＬＡＮ信号を受信しているが、受信したＬＡＮ信号の総データ量が無線伝送路４００の伝送容量を越えていない場合の動作について説明する。尚、有線伝送路１０１，１０２から受信したＬＡＮ信号の受信フレームバッファ１３１，１３２への書込みが完了する順序は、有線伝送路１０２ａから受信したＬＡＮ信号よりも有線伝送路１０１ａから受信したＬＡＮ信号の方が常に早いものとする。
【００６８】
受信フレームバッファ１３１，１３２は格納したＬＡＮ信号のデータ量に基づきバッファ容量モニタ信号２２３，２２４を生成し、輻輳判定回路１３７及び送信順序決定回路１３６に出力する。
【００６９】
輻輳判定回路１３７はバッファ容量モニタ信号２２３，２２４を受信し、双方の受信フレームバッファ１３１，１３２にＬＡＮ信号が格納されていることを検出するが、格納されたデータ量の総和が予め定められた閾値を越えていないため、トラフィックの輻輳が発生していないと判定し、トラフィック輻輳信号２２５を出力しない。
【００７０】
帯域制御回路１３４，１３５をそれぞれ構成する帯域制限回路１３４３はトラフィック輻輳信号２２５を受信していないため、帯域制限信号２１５，２１６を出力しない。
【００７１】
送信順序決定回路１３６を構成する受信完了検出回路１３６１，１３６２は、フレーム単位で受信した受信ＬＡＮ信号２１１ａ，２１２ａのフレームの末尾を検出して受信完了信号５１１，５１２を生成する。ここでは、有線伝送路１０１ａから受信したＬＡＮ信号の方が有線伝送路１０２ａから受信したＬＡＮ信号よりも早く受信が完了することを前提として説明しているため、受信完了信号５１１より遅れて受信完了信号５１２が出力される。
【００７２】
順序生成回路１３６３はまず受信完了信号５１１を検出して１つ目の順序情報５１３を生成し、次に受信完了信号５１２を検出して２つ目の順序情報５１４を生成する。
【００７３】
受信順序保持メモリ１３６４，１３６５は順序情報５１３，５１４を受信した順序で記憶し、最も先に記憶した順序情報５１３，５１４から順番に比較信号５１５，５１６を出力する。
【００７４】
送信順序決定回路１３６を構成する読出しポート判定回路１３６６は、図６に示す判定手順（ステップＳ２，Ｓ４）においてバッファ容量モニタ信号２２３，２２４を基に受信フレームバッファ１３１，１３２の双方にＬＡＮ信号が格納されていることを判定し、判定手順（ステップＳ３，Ｓ５）において帯域制限信号２１５，２１６いずれも受信していないことを判定する。
【００７５】
読出しポート判定回路１３６６は、検出手順（ステップＳ１）において選択要求信号２１７を検出すると、まずは検出手順（ステップＳ１）及び判定手順（ステップＳ２〜Ｓ５）を経て判定手順（ステップＳ６）に至り、判定手順（ステップＳ６）において比較信号５１５，５１６を比較し、比較信号５１５の方が先に採番された値であることを判定して判定結果（ステップＳ８）に至る。
【００７６】
また、読出しポート判定回路１３６６は、検出手順（ステップＳ１）において次の選択要求信号２１７を検出すると、上述した判定手順（ステップＳ２〜Ｓ６）を経て今度は判定手順（ステップＳ７）に至る。
【００７７】
読出しポート判定回路１３６６は判定結果（ステップＳ８，Ｓ７）にしたがって受信フレームバッファ１３１，１３２からデータを読出す旨のポート選択信号２１８を生成してポート情報付加回路１３８へ出力する。ポート情報付加回路１３８はポート選択信号２１８に基づいて受信フレームバッファ１３１，１３２からフレーム単位で読出しＬＡＮ信号２２１，２２２を受信し、受信したＬＡＮポート１１ａ，１２ａを示すポート情報と、誤り検出情報とを付加して送信カプセル化ＬＡＮ信号２１３を生成し、無線送受信回路１５ａ、無線伝送路４００を介して無線伝送装置１ｂへ送出する。
【００７８】
無線伝送装置１ｂのポート情報解析回路１４３は、無線伝送路４００から無線送受信回路１５ｂを介して受信カプセル化ＬＡＮ信号２１３ｂを受信して信号に誤りがないことを検出した後に、ポート情報付加回路１３８で付加されたポート情報を抽出し、出力すべきＬＡＮポート１１ｂ，１２ｂを決定し、ポート情報と誤り検出情報とを削除した後に、送信フレームバッファ１４１，１４２及びＬＡＮポート１１ｂ，１２ｂを介して有線伝送路１０１ｂ，１０２ｂへＬＡＮ信号を出力する。
【００７９】
これによって、本実施例では、有線伝送路１０１ａ，１０２ａ双方からＬＡＮ信号を受信し、受信しているＬＡＮ信号の総データ量が無線伝送路４００の伝送容量を越えない場合に、送信順序決定回路１３６で検出した受信完了順序にしたがってポートを選択し、ＬＡＮ信号を無線伝送路４００へ送出することによって、有線伝送路１０１ａ，１０２ａ双方に対して、必要に応じた帯域を分配することが可能となる。また、有線伝送路１０１ａ，１０２ａから受信したＬＡＮ信号は各々対向局の有線伝送路１０１ｂ，１０２ｂのみに出力される。
【００８０】
続いて、有線伝送路１０１ａ，１０２ａ双方からＬＡＮ信号を受信し、受信したＬＡＮ信号の総データ量が無線伝送路４００の伝送容量を超えた状態において、受信フレームバッファ１３２からのデータ読出しに制限を行う動作について説明する。
【００８１】
輻輳判定回路１３７はバッファ容量モニタ信号２２３，２２４を監視し、双方にＬＡＮ信号が格納されており、かつ格納されたデータ量の総和が予め定められた閾値を越えたことを検出して、トラフィックの輻輳が発生したと判断し、トラフィック輻輳信号２２５を出力する。
【００８２】
基準時間カウンタ１３３は予め定められた一定時間毎に基準時間信号２１４を出力しており、帯域制御回路１３５を構成する積算カウンタ１３４２は、基準時間単位で受信フレームバッファ１３２からフレーム単位で出力される読出しＬＡＮ信号２２２のデータ量の積算を行い、積算カウンタ値５０２を常に帯域制限回路１３４３へ出力する。
【００８３】
帯域制限回路１３４３は予め定められた閾値と積算カウンタ値５０２とを比較して、積算カウンタ値５０２が閾値を越えた時点で帯域制限信号２１６をオーバフローカウンタ１３４１及び送信順序決定回路１３６に出力する。
【００８４】
送信順序決定回路１３６を構成する読出しポート判定回路１３６４は、図６に示す判定手順（ステップＳ２，Ｓ４）においてバッファ容量モニタ信号２２３，２２４を基に受信フレームバッファ１３１，１３２双方にＬＡＮ信号が格納されていることを検出し、判定手順（ステップＳ５）において帯域制限信号２２４を検出したため、検出手順（ステップＳ１）及び判定手順（ステップＳ２〜Ｓ５）を経て判定結果（ステップＳ８）に至り、判定手順（ステップＳ６）の結果に関わらず受信フレームバッファ１３１からデータを読出す旨のポート選択信号２１８を生成する。
【００８５】
尚、オーバフローカウンタ１３４１は帯域制限信号２１６を検出している場合にのみ読出しＬＡＮ信号２２２のデータ量の積算を行い、基準時間信号２１４を受信する毎に積算結果をオーバフローカウンタ値５０１として積算カウンタ１３４２へ出力し、積算カウンタ１３４２は基準時間信号２１４を検出する毎にオーバフローカウンタ値５０１と等しいカウンタ値から積算を開始する。
【００８６】
これによって、本実施例では、有線伝送路１０１ａ，１０２ａ双方からＬＡＮ信号を受信し、受信したＬＡＮ信号の総データ量が無線伝送路４００の伝送容量を超えた場合に、予め定められた一定時間当たりに受信フレームバッファ１３１，１３２から読出すことが可能なデータ量の上限を定めることで、各ＬＡＮポート毎に無線伝送路４００へ送出するデータ量の制御を行うことができる。
【００８７】
また、受信フレームバッファ１３１，１３２からはフレーム単位でＬＡＮ信号の読出しを行うため、オーバフローカウンタ１３４１が、帯域制限が実施された後に継続して読出されたデータ量を積算し、次の一定時間に送出可能なデータ量から差し引くことで、一定時間当たりの送出データ量を統計的に等しくすることが可能となる。
【００８８】
このように、本実施例では、各ＬＡＮ回線からフレーム単位で受信したＬＡＮ信号に受信ポートの情報を付加して対向局に伝送し、対向局において付加されたポートの情報を基にＬＡＮ回線毎にフレーム単位で信号を分岐する方式をとるため、無線伝送路４００上に予めＬＡＮ回線毎に固定帯域を割り当てることなく、互いに信号が混ざり合うことのない複数の独立したＬＡＮ回線を一つの無線伝送路に収容することができる。
【００８９】
本実施例では、無線伝送路４００に送出するＬＡＮ信号にポート情報を付加した後に、さらに無線区間で誤り検出を実施するための信号をフレーム毎に付加して対向局へ伝送し、対向局において誤り検出を行った後にポートの情報を取得するため、無線伝送路４００での信号誤りによって、付加したポートの情報に誤りが生じて本来出力すべきポートとは異なるポートへ誤って信号を出力するのを防止することができる。
【００９０】
本実施例では、無線伝送路４００を予めＬＡＮ回線毎に固定帯域を割り当てることなく、各ＬＡＮ回線から最も先に受信したＬＡＮ信号から優先して無線伝送路４００へ送出する方式をとるため、各ＬＡＮ回線のデータ量に応じて動的に帯域を分配することができる。
【００９１】
本実施例では、トラフィックの輻輳状態を判定する回路を設け、トラフィック輻輳状態と判定した場合にのみ、各ポート毎に予め定められた一定時間の間に無線伝送路４００に送出可能なデータ量に制限を行う機能を備えるため、複数のＬＡＮ回線から同時にＬＡＮ信号を受信し、各ＬＡＮ回線から受信したＬＡＮ信号の総データ量が無線伝送容量を超えた場合にのみ、各ＬＡＮ回線に対して帯域制限を実施することができる。
【００９２】
本実施例では、各ＬＡＮ回線から受信したＬＡＮ信号の検出をフレームの先頭位置と末尾を検出することによって実施し、ＬＡＮ信号のフレームフォーマットやプロトコルの解析を実施せずに、無線区間で受信ポートの識別に必要な情報のみを新たにＬＡＮ信号に付加することで回線の独立性を確保しているため、複数の異なるフレームフォーマットやプロトコルを用いたＬＡＮ回線を一つの無線伝送路４００に収容することができる。
【００９３】
尚、本実施例では、２つの有線伝送路１０１ａ，１０２ａ，１０１ｂ，１０２ｂを備える無線伝送装置１ａ，１ｂについて示しているが、無線伝送装置１ａ，１ｂが備える有線伝送路の数は２回線とは限らず、図７〜図９に示すように、Ｎ回線を収容する構成でも良い。また、伝送する信号はＬＡＮ信号に限らず、パケット単位でバースト的に伝送を行うデータ信号列でも良い。
【００９４】
図７は本発明の他の実施例による無線伝送システムの構成を示すブロック図である。図７において、本発明の他の実施例による無線伝送システムはＮ個（Ｎは３以上の正の整数）の有線伝送路６０１ａ−１〜６０１ａ−Ｎ，６０１ｂ−１〜６０１ｂ−Ｎから受信したＬＡＮ信号を１つの無線伝送路４００を介して１対１で対向局に送出し、対向局で再度２つの有線伝送路６０１ｂ−１〜６０１ｂ−Ｎ，６０１ａ−１〜６０１ａ−Ｎへ分離した後に出力する無線伝送装置６ａ，６ｂが無線伝送路４００を介して対向するように配置して構成されている。
【００９５】
無線伝送装置６ａはＬＡＮポート６１ａ−１〜６１ａ−Ｎと、無線送信側回路６２ａと、無線受信側回路６３ａと、無線送受信回路６４ａと、アンテナ６５ａとから構成されている。無線伝送装置６ｂは無線伝送装置６ａと同じ構成となっている。
【００９６】
図８は図７の無線送信側回路６２ａの構成例を示すブロック図である。図８においては、無線送信側回路６２ａを無線送信側回路６２として図示しており、無線送信側回路６２ａの構成はこの無線送信側回路６２と同様である。
【００９７】
すなわち、無線送信側回路６２は受信フレームバッファ６２１−１〜６２１−Ｎと、基準時間カウンタ６２２と、帯域制御回路６２３−１〜６２３−Ｎと、送信順序決定回路６２４と、輻輳判定回路６２５と、ポート情報付加回路６２６とから構成されている。
【００９８】
図９は図７の無線受信側回路６３ａの構成例を示すブロック図である。図９においては、無線受信側回路６３ａを無線受信側回路６３として図示しており、無線受信側回路６３ａの構成はこの無線受信側回路６３と同様である。すなわち、無線受信側回路６３は送信フレームバッファ６３１−１〜６３１−Ｎと、ポート情報解析回路６３２とから構成されている。
【００９９】
本実施例は、図７〜図９に示すように、Ｎ回線を収容する構成とした以外は、図１〜図３に示す本発明の一実施例による無線伝送システムと同様の動作を行うので、その動作についての説明は省略する。
【図面の簡単な説明】
【０１００】
【図１】本発明の一実施例による無線伝送システムの構成を示すブロック図である。
【図２】図１の無線送信側回路の構成例を示すブロック図である。
【図３】図１の無線受信側回路の構成例を示すブロック図である。
【図４】図２の帯域制御回路の構成例を示すブロック図である。
【図５】図２の送信順序決定回路の構成例を示すブロック図である。
【図６】図５の読出しポート判定回路の判定動作を示すフローチャートである。
【図７】本発明の他の実施例による無線伝送システムの構成を示すブロック図である。
【図８】図７の無線送信側回路の構成例を示すブロック図である。
【図９】図７の無線受信側回路の構成例を示すブロック図である。
【符号の説明】
【０１０１】
１ａ，１ｂ，６ａ，６ｂ  無線伝送装置
１１ａ，１１ｂ，１２ａ，１２ｂ，
６１ａ−１〜６１ａ−Ｎ  ＬＡＮポート
１３，１３ａ，１３ｂ，６２ａ  無線送信側回路
１４，１４ａ，１４ｂ，６３ａ  無線受信側回路
１５ａ，１５ｂ，６４ａ  無線送受信回路
１６ａ，１６ｂ，６５ａ，６５ｂ  アンテナ
１０１ａ，１０１ｂ，
１０２ａ，１０２ｂ，
６０１ａ−１〜６０１ａ−Ｎ，
６０１ｂ−１〜６０１ｂ−Ｎ  有線伝送路
１３１，１３２，
６２１−１〜６２１−Ｎ  受信フレームバッファ
１３３，６２２  基準時間カウンタ
１３４，１３５，
６２３−１〜６２３−Ｎ  帯域制御回路
１３６，６２４  送信順序決定回路
１３７，６２５  輻輳判定回路
１３８，６２６  ポート情報付加回路
１４１，１４２，
６３１−１〜６３１−Ｎ  送信フレームバッファ
１４３，６３２  ポート情報解析回路
４００  無線伝送路
１３４１  オーバフローカウンタ
１３４２  積算カウンタ
１３４３  帯域制限回路
１３６１，１３６２  受信完了検出回路
１３６３  順序生成回路
１３６４，１３６５  受信順序保持メモリ
１３６６  読出しポート判定回路
【図１】
2006115034.tif 000003
【図２】
2006115034.tif 000004
【図３】
2006115034.tif 000005
【図４】
2006115034.tif 000006
【図５】
2006115034.tif 000007
【図６】
2006115034.tif 000008
【図７】
2006115034.tif 000009
【図８】
2006115034.tif 000010
【図９】
2006115034.tif 000011